(57)【要約】【課題】納骨室の開閉に引き戸を採用しつつもコンパクト化を実現した納骨堂の提供。【解決手段】この納骨堂は、床部材、天井部材及び側壁によって区画された内部空間を有する納骨堂であって、上記内部空間に設置された多数の納骨室５を備えており、この納骨室５が、鉛直方向に延びる複数の縦枠６と、縦枠６同士の間に上下に間隔をおいて設けられた水平方向に延びる複数の棚板７とによって区画された納骨空間Ｓ、及び、横方向に移動することにより、この納骨空間Ｓの前面開口部１０を開閉しうる引き戸１５を備えており、左右方向に隣接する納骨室５の引き戸１５の移動方向が、その開側に隣接する納骨室５の前方を通過するように前方に向けて傾斜するように構成されており、上記床部材、天井部材、側壁部材、縦枠６、棚板７及び引き戸１５のうち、少なくとも縦枠６、棚板７及び引き戸１５が石材から形成されている。【選択図】図３
0003170465.tif 000002
【実用新案登録請求の範囲】
【請求項１】
納骨堂の内部空間に設置される納骨室であって、
鉛直方向に延びる複数の縦枠と、縦枠同士の間に上下に間隔をおいて設けられた水平方向に延びる複数の棚板とによって区画された納骨空間、及び、
横方向に移動することにより、この納骨空間の前面開口を開閉しうる引き戸を備えており、
納骨室の引き戸の移動方向が、その開側に隣接する納骨室の前方を通過するように前方に向けて傾斜するように構成されている、納骨室。
【請求項２】
横方向に隣接する縦枠同士が平行であり、上下に隣接する棚板同士が平行であり、この棚板の面における前端縁近傍に、引き戸が係合して移動しうる案内溝が形成されており、
この案内溝の延びる方向が、縦枠の面に垂直な方向から水平面内に傾斜しており、
左右方向に隣接する棚板に形成された案内溝の延びる方向が互いに平行である請求項１に記載の納骨室。
【請求項３】
上記縦枠、棚板及び引き戸が石材から形成されている請求項１又は２に記載の納骨室。
【請求項４】
床部材、天井部材及び側壁によって区画された内部空間を有する納骨堂であって、
上記内部空間に設置された多数の納骨室を備えており、
この納骨室が、請求項１から３のいずれかに記載された納骨室である、納骨堂。
【考案の詳細な説明】
【技術分野】
【０００１】
本考案は、納骨室及び納骨堂に関する。さらに詳しくは、本考案は、遺骨を祀るための納骨室及び納骨堂に関する。
【背景技術】
【０００２】
従来、複数の骨壺や納骨箱を効率良く収容しうる合祀納骨堂が知られている。このような納骨堂は、例えば、特開２００１−１４０５０２公報、特開２００９−２８７２９５公報等に開示されている。これらの公報に提案されている合祀納骨堂は、その駆体が、壁部材、床板、天井板等から構成される。また、これらの合祀納骨堂は、小容積でありながら、多数の骨壺や納骨箱を収容しうるように工夫されている。
【０００３】
特開２００１−１４０５０２公報の合祀納骨堂にあっては、納骨堂内部の納骨室に上下に複数段の棚板が装備されている。この棚板はステンレス鋼板からなり、納骨室の側壁にビス留めされている。側壁は、耐久性が要求されることから、プレキャストコンクリートから形成されている。各段の棚板に、多数の骨壺が整列状態で載置される。従って、骨壺は完全に露出している。
【０００４】
特開２００９−２８７２９５公報の合祀納骨堂にあっては、骨壺の収容空間を構成する四方の側壁部が、金属板から形成されている。この金属製側壁部の内側には、発泡樹脂製の断熱材が貼設されている。この収容空間内に固定納骨棚及び移動納骨棚が設けられている。これらの納骨棚は、フレームと、このフレームに上下に複数段取り付けられた棚板とから構成されている。各段の棚板に、多数の骨壺が整列状態で載置される。従って、骨壺は完全に露出している。各段の棚板における、骨壺載置位置には小さな名札が取り付けられる。
【０００５】
上記プレキャストコンクリート製の納骨堂、金属板製の納骨堂では、その耐久性が数十年程度しか期待できない。さらに、金属板製棚板がビスによってコンクリートに取り付けられている場合、さらに耐久性が低下すると考えられる。一方で、納骨堂に対して永代供養墓としても期待される昨今の事情がある。コンパクトでありながらも、さらなる長寿命の納骨堂が要望されている。また、収容される骨壺や納骨箱が、露出されずに安置されることも望まれている。
【先行技術文献】
【特許文献】
【０００６】
【特許文献１】特開２００１−１４０５０２公報
【特許文献２】特開２００９−２８７２９５公報
【考案の概要】
【考案が解決しようとする課題】
【０００７】
本考案は、上記現状に鑑みてなされたものであり、コンパクトな構成を維持しつつ、収容された骨壺や納骨箱が露出されず、また、さらなる耐久性の飛躍的向上を目指して石材から形成されたとしても、納骨空間の開閉が容易な納骨室及び納骨堂を提供することを目的としている。
【課題を解決するための手段】
【０００８】
本考案に係る納骨室は、
納骨堂の内部空間に設置される納骨室であって、
鉛直方向に延びる複数の縦枠と、縦枠同士の間に上下に間隔をおいて設けられた水平方向に延びる複数の棚板とによって区画された納骨空間、及び、
横方向に移動することにより、この納骨空間の前面開口を開閉しうる引き戸を備えており、
納骨室の引き戸の移動方向が、その開側に隣接する納骨室の前方を通過するように前方に向けて傾斜するように構成されている。
【０００９】
かかる構成の納骨室によれば、引き戸が採用されているので、収容された骨壺や納骨箱が露出するこがない。また、耐久性の飛躍的な向上を目指して、引き戸、棚板等が石材から形成された場合でも、構造が簡素な引き戸であるため、故障のおそれが極めて少ない。引き戸の移動方向が、開側に隣接する納骨室の前方を通過する方向であるため、引き戸の開閉時に隣接納骨室の引き戸等に干渉することがない。従って、多数の納骨室をコンパクトに集積することができる。
【００１０】
好ましくは、横方向に隣接する縦枠同士が平行であり、上下に隣接する棚板同士が平行であり、この棚板の面における前端縁近傍に、引き戸が係合して移動しうる案内溝が形成されており、
この案内溝の延びる方向が、縦枠の面に垂直な方向から水平面内に傾斜しており、
左右方向に隣接する棚板に形成された案内溝の延びる方向が互いに平行である。
【００１１】
好ましくは、上記縦枠、棚板及び引き戸が石材から形成されている。
【００１２】
本考案に係る納骨堂は、
床部材、天井部材及び側壁部材によって区画された内部空間を有する納骨堂であって、
上記内部空間に設置された多数の納骨室を備えており、
この納骨室が、前述されたうちのいずれかの納骨室である。
【考案の効果】
【００１３】
本考案に係る納骨室によれば、コンパクトであり、収納された骨壺や納骨箱が露出することなく、構成部材に石材が採用されたとしても、故障の発生が抑制される。
【図面の簡単な説明】
【００１４】
【図１】図１は、本考案の一実施形態に係る納骨堂の内部を示す斜視図である。
【図２】図２（ａ）は、図１の納骨堂内の納骨棚を示す正面図であり、図２（ｂ）は図２（ａ）の平面図であり、図２（ｃ）は図２（ａ）の側面図である。
【図３】図３は、図２（ａ）のＩＩＩ−ＩＩＩ線に沿った断面図である。
【図４】図４は、図３の納骨室を構成する棚板及び引き戸を示す斜視図である。
【考案を実施するための形態】
【００１５】
以下、適宜図面が参照されつつ、好ましい実施形態に基づいて本考案が詳細に説明される。
【００１６】
図１に示された納骨堂１は、石板から形成された床部材２、右面側壁３及び後面側壁４、並びに、同じく石板から形成された図示しない天井部材、左面側壁及び前面側壁を有している。図１には、納骨堂１の天井、屋根、左面側壁、前面側壁等の図示が省略されている。図示が省略された前面側壁には、納骨堂１内部空間への出入りのための、図示しない開閉扉が設けられている。この納骨堂１の内部空間には、多数の納骨室５が設けられている。納骨室５の納骨空間Ｓは、石板からなる多数の縦枠６、及び、石板からなる多数の棚板（横板とも呼ばれる）７によって区画されている。縦枠６が納骨室５の左右の両壁を構成しており、棚板７が納骨室５の天井及び床を構成している。以上のとおり、この納骨堂１の基本構成部の材料として、石板が多用されているので、その耐久性が極めて長い。上記石板としては、例えば、御影石等の花崗岩、大理石等が用いられる。
【００１７】
多数の納骨室５から納骨棚８が構成されている。納骨棚８は、側壁の内面に設置されている。後面側壁４には、中央に祭壇９がしつらえられており、この祭壇９を挟んだ両側に納骨棚８が設置されている。祭壇９上のモニュメント等はその図示が省略されている。また、納骨室５の前面開口部１１には、後述する引き戸１５が設けられるが、図１及び図２にはその図示が省略されている。
【００１８】
図２には納骨棚８の一例が示されている。図示の如く、納骨棚８は、横方向に間隔をおいて鉛直に延びる多数本の縦枠６と、隣接する縦枠６同士の間に上下方向に間隔をおいて設けられた棚板７とを備えている。隣接する縦枠６は互いに平行にされている。本実施形態では、全縦枠６の幅は基本的に同一である。また、全縦枠６の前端の前後方向の位置は一致しており、後端の前後方向の位置も一致している。しかし、納骨棚８には、納骨堂１の図示しない柱との干渉を回避するための切り欠き部１２が形成されている（図２（ｂ））。従って、この切り欠き部１２の形成により、その後部が切除された縦枠６が存在する。隣接する縦枠６の対向面における、互いに対応する高さ位置に、棚板７用の案内溝１３が形成されている。この案内溝１３は上下方向に間隔をおいて複数箇所に形成されている。この案内溝１３は、水平方向に形成されている。
【００１９】
上下に隣接する棚板７は互いに平行に取り付けられている。棚板７は水平姿勢で取り付けられている。棚板７は、その左右の両端縁が、隣接する縦枠６の対向する案内溝１３に係合し、前後方向に摺動可能である。従って、棚板７の幅は、隣接する左右の縦枠６同士の間隔より広い（図３）。棚板７は、左右の縦枠６から着脱可能である。棚板７が縦枠６から完全には離脱し得ないように、ロック機構が設けられてもよい。
【００２０】
以上に説明したように、納骨室５の納骨空間Ｓは、左右方向に隣接した平行な縦枠６と、上下方向に隣接した平行な棚板７とによって区画されている。従って、納骨室５はその正面視で長方形を呈しており、側面視でも長方形を呈している。納骨室５の平面視形状は、後述するように台形を呈している。また、上記柱用の切り欠き部１２の形成により、その後部が切除された納骨室５も存在する。納骨空間Ｓの幅（縦枠６同士の間隔）は、図１〜図３に示されるように、一定でなくてもよい。本実施形態では、納骨室５の後端面は、納骨堂１の側壁の内面によって構成されている。しかし、他の板材を納骨室５の後壁として採用してもよい。
【００２１】
図３も併せて参照すれば明らかなように、棚板７は、平面視で台形を呈している。すなわち、左右の側辺は平行であり、後端の左右の両角は直角を呈し、前端縁７ａは傾斜している。前端縁７ａが、平面視で、縦枠６の面に垂直な方向から水平面内に傾斜している。一つの納骨棚８においては、全棚板７の前端縁７ａのこの傾斜角はほぼ同一である。棚板７の一方の側辺（右側辺）は他方の側辺（左側辺）より長い。本実施形態では、棚板７の短いほうの側辺（図３では、左側の側辺）の寸法は縦枠６の幅寸法と概ね同一である。棚板７の長いほうの側辺（図３では、右側の側辺）の前端部は、縦枠６の前端より前方へ突出している。この側辺の突出した部分を突出部１４と呼ぶ。この突出部１４は、棚板７の幅が大きいほど大きい。平面視で、隣接する縦枠６の前端同士を結ぶ直線から、前方へ突出している棚板７の部分の形状は直角三角形となる。なお、上記柱用の切り欠き部１２の形成により、その後部が切除された棚板７も存在する。
【００２２】
棚板７の外表面において、前端縁７ａからわずかに後退した部位に、この前端縁７ａとほぼ平行に、引き戸１５用の案内溝１６が形成されている。従って、この案内溝１６の延びる方向は、上記前端縁７ａと同じく、縦枠６の面に垂直な方向から水平面内に傾斜している。左右方向に隣接する納骨室５の棚板７に形成された案内溝１６は互いにほぼ平行である。この案内溝１６は、最上段の棚板７には下面にのみ形成され、最下段の棚板７には上面にのみ形成され、及び、中間段の棚板７には上下両面に形成されている。案内溝１６の幅は、引き戸１５の厚さよりわずかに大きくされている。この案内溝１６には、引き戸１５の上端縁及び下端縁が摺動可能に係合する。
【００２３】
図３から明らかなように、棚板７の上記突出部１４には、完全に下記案内溝１６の端部が含まれている（図３）。換言すれば、案内溝１６の右端は、縦枠６の前端より前方に出ている。従って、引き戸１５は、その開き側に隣接する納骨室５の、縦枠６にも、棚板７にも、引き戸１５にも干渉せずに開閉可能となる。図３において、左側の引き戸１５Ｌを開けるために右へ摺動させると、この引き戸１５Ｌは、右隣の縦枠６Ｒ、棚板７Ｒ、引き戸１５Ｒそれぞれの前方を通過し、これらと干渉することがない。この目的のために、左右に隣接する納骨室５同士を前後に位置ズレさせる必要もない。従って、引き戸１５が採用されているにも関わらず、納骨堂１全体がコンパクトに構成されうる。
【００２４】
以上のように、開閉動作する引き戸１５が、隣接する納骨室５の構成部材に干渉しない限り、棚板７の形状は台形に限定されない。上記棚板７の前端部と同じ構成を有する棚板であって、平面視が平行四辺形等の棚板でもよい。また、引き戸１５が、その開き側に隣接する納骨室５の構成部材に干渉せずに開閉可能である限り、棚板７の案内溝１６の水平面内傾斜角を同一にすることには限定されない。換言すれば、左右方向に隣接する納骨室５の案内溝１６同士は完全な平行状態であることには限定されない。例えば、ある納骨室５の引き戸１５の移動方向が、開側に隣接する納骨室５の少なくとも幅寸法内において、その棚板７の前端縁７ａと交差しない方向であばよい。
【００２５】
図３及び図４に示されるように、引き戸１５は、案内溝１６に係合し、水平方向に摺動して納骨室５の前面開口部１１を開閉する。引き戸１５は、開方向に移動することにより、棚板７から離脱可能である。引き戸１５は、納骨室５に着脱可能に取り付けられている。引き戸１５の納骨室５からの取り外しを防止するために、キー付きのロック機構を設けてもよい。本実施形態では、引き戸１５は長方形に形成されている。本考案における引き戸の形状は長方形には限定されない。しかし、納骨棚８をコンパクトに構成する観点からは、引き戸の形状は長方形が好ましい。
【００２６】
引き戸１５は名札としての役割も果たす。納骨室５の所有者等が決定したとき、当該納骨室５の引き戸１５が取り外され、その表面に戒名等の必要事項が彫り込まれる。その後、当該納骨室５の前面開口部１１を閉じるように再度装着される。
【００２７】
耐久性の飛躍的な向上を狙って、納骨堂１の床部材２、側壁及び天井部材、並びに、納骨棚８の縦枠６、棚板７及び引き戸１５が、石板という重量の大きい材料から形成されている。従って、特に可動部である納骨室の開閉機構には、不具合が生じないように気をつける必要がある。しかし、以上に説明したように、納骨室５の開閉機構として引き戸１５が採用され、この引き戸１５の支持案内機構として案内溝１６が採用されている。このように、引き戸１５及びその支持構造がともに大変簡素であるため、観音扉等の開き戸が採用された場合のように、蝶番に加わる負荷が大きくなると言う問題がない。
【産業上の利用可能性】
【００２８】
本考案に係る納骨室及び納骨堂は、合祀に適しており、人間のみならず、ペット用としても適用可能である。
【符号の説明】
【００２９】
１・・・納骨堂
２・・・床部材
３・・・右面側壁
４・・・後面側壁
５・・・納骨室
６、６Ｒ・・・縦枠
７、７Ｒ・・・棚板
７ａ・・・（棚板の）前端縁
８・・・納骨棚
９・・・祭壇
１１・・・（納骨室の）前面開口部
１２・・・切り欠き部
１３・・・（棚板用の）案内溝
１４・・・（棚板の側辺の）突出部
１５、１５Ｌ、１５Ｒ・・・引き戸
１６・・・（引き戸用の）案内溝
Ｓ・・・納骨空間
【図１】
0003170465.tif 000003
【図２】
0003170465.tif 000004
【図３】
0003170465.tif 000005
【図４】
0003170465.tif 000006